(57)【要約】【課題】利用者によって撮像された複数の画像のうちから、利用者が文書内の領域に挿入することを意図して撮像した画像を関連付けできるようにすること。【解決手段】指定状況特定部（４６）は、複数の画像領域の各々について、当該画像領域がユーザによって指定されたときの状況を特定する。また、撮像状況特定部（４８）は、複数の写真画像の各々について、当該写真画像がデジタルカメラによって撮像されたときの状況を特定する。画像選択部（５０）は、指定状況特定部（４６）により特定される、複数の画像領域のうちのいずれかである注目領域が指定されたときの状況、及び撮像状況特定部（４８）により特定される、複数の写真画像の各々が撮像されたときの状況、に基づいて、複数の写真画像のうちから配置対象写真画像を選択し、関連づけ部（５２）が、注目領域と配置対象写真画像とを関連づける。【選択図】図１３
2012018461.tif 000002
【特許請求の範囲】
【請求項１】
媒体の表面に予め設定された複数の領域の各々について、当該領域が利用者によって指定されたときの状況を特定する指定状況特定手段と、
複数の撮像画像の各々について、当該撮像画像が撮像手段によって撮像されたときの状況を特定する撮像状況特定手段と、
前記指定状況特定手段により特定される、前記複数の領域のうちのいずれかである注目領域が指定されたときの状況、及び前記撮像状況特定手段により特定される、前記複数の撮像画像の各々が撮像されたときの状況、又は、前記指定状況特定手段により特定される、前記注目領域の次に指定された領域である基準領域が指定されたときの状況、及び前記撮像状況特定手段により特定される、前記複数の撮像画像の各々が撮像されたときの状況、に基づいて、前記複数の撮像画像のうちのいずれかを選択する画像選択手段と、
前記画像選択手段により選択された撮像画像と、前記注目領域と、を関連づける関連づけ手段と、
を含むことを特徴とする情報処理装置。
【請求項２】
前記指定状況特定手段は、
前記複数の領域の各々について、当該領域が利用者によって指定された指定タイミングを特定し、
前記撮像状況特定手段は、
前記複数の撮像画像の各々について、当該撮像画像が撮像された撮像タイミングを特定し、
前記画像選択手段は、
前記注目領域の指定タイミング、及び前記複数の撮像画像の各々の撮像タイミングに基づいて、前記複数の撮像画像のうちの撮像タイミングが前記注目領域の指定タイミングより前の撮像画像のうちから、撮像タイミングが前記注目領域の指定タイミングに最も近い撮像画像を選択すること、
を特徴とする請求項１に記載の情報処理装置。
【請求項３】
前記指定状況特定手段は、
前記複数の領域の各々について、当該領域が利用者によって指定された指定タイミングを特定し、
前記撮像状況特定手段は、
前記複数の撮像画像の各々について、当該撮像画像が撮像された撮像タイミングを特定し、
前記画像選択手段は、
前記基準領域の指定タイミング、及び前記複数の撮像画像の各々の撮像タイミングに基づいて、前記複数の撮像画像のうちの撮像タイミングが前記基準領域の指定タイミングより前の撮像画像のうちから、撮像タイミングが前記基準領域の指定タイミングに最も近い撮像画像を選択すること、
を特徴とする請求項１に記載の情報処理装置。
【請求項４】
前記領域は、
現タイミングを計測する第１時計手段を備えた操作部材を用いて指定され、
前記撮像手段は、
現タイミングを計測する第２時計手段を備え、
前記情報処理装置は、
前記複数の領域の各々について、当該領域が利用者によって指定されたときの前記第１時計手段の計測結果を取得する第１取得手段と、
前記複数の撮像画像の各々について、該撮像画像が前記撮像手段によって撮像されたときの前記第２時計手段の計測結果を取得する第２取得手段と、をさらに含み、
前記指定状況特定手段は、
前記第１取得手段により取得された計測結果に基づいて、前記複数の領域の各々について、当該領域が利用者によって指定された指定タイミングを特定し、
前記撮像状況特定手段は、
前記第２取得手段により取得された計測結果に基づいて、前記複数の撮像画像の各々について、当該撮像画像が撮像された撮像タイミングを特定すること、
を特徴とする請求項１乃至３のいずれかに記載の情報処理装置。
【請求項５】
前記第１時計手段と前記第２時計手段とで現タイミングの計測結果は異なり、
前記情報処理装置は、
前記第１時計手段による現タイミングの計測結果と、前記第２時計手段による現タイミングの計測結果と、のずれを示すずれ情報を生成するずれ情報生成手段と、
前記第１取得手段により取得された計測結果を前記ずれ情報に基づいて補正する補正手段と、をさらに含み、
前記指定状況特定手段は、
前記補正手段によって補正された計測結果に基づいて、前記複数の領域の各々の指定タイミングを特定すること、
を特徴とする請求項４に記載の情報処理装置。
【請求項６】
前記第１時計手段と前記第２時計手段とで現タイミングの計測結果は異なり、
前記情報処理装置は、
前記第１時計手段による現タイミングの計測結果と、前記第２時計手段による現タイミングの計測結果と、のずれを示すずれ情報を生成するずれ情報生成手段と、
前記第２取得手段により取得された計測結果を前記ずれ情報に基づいて補正する補正手段と、をさらに含み、
前記撮像状況特定手段は、
前記補正手段によって補正された計測結果に基づいて、前記複数の撮像画像の各々の撮像タイミングを特定すること、
を特徴とする請求項４に記載の情報処理装置。
【請求項７】
媒体の表面に予め設定された複数の領域の各々について、当該領域が利用者によって指定されたときの状況を特定する指定状況特定手段、
複数の撮像画像の各々について、当該撮像画像が撮像手段によって撮像されたときの状況を特定する撮像状況特定手段、
前記指定状況特定手段により特定される、前記複数の領域のうちのいずれかである注目領域が指定されたときの状況、及び前記撮像状況特定手段により特定される、前記複数の撮像画像の各々が撮像されたときの状況、又は、前記指定状況特定手段により特定される、前記注目領域の次に指定された領域である基準領域が指定されたときの状況、及び前記撮像状況特定手段により特定される、前記複数の撮像画像の各々が撮像されたときの状況、に基づいて、前記複数の撮像画像のうちのいずれかを選択する画像選択手段、
前記画像選択手段により選択された撮像画像と、前記注目領域と、を関連づける関連づけ手段、
としてコンピュータを機能させるプログラム。
【発明の詳細な説明】
【技術分野】
【０００１】
本発明は、情報処理装置及びプログラムに関する。
【背景技術】
【０００２】
特許文献１には、画像ファイルに含まれる、撮像画像及び当該撮像画像の撮像日時、を画面に表示させる装置が開示されている。
【先行技術文献】
【特許文献】
【０００３】
【特許文献１】特開２００６−５３８７１号公報
【発明の概要】
【発明が解決しようとする課題】
【０００４】
本発明の目的は、利用者によって撮像された複数の画像のうちから、利用者が文書内の領域に挿入することを意図して撮像した画像を関連付けできるようにすることである。
【課題を解決するための手段】
【０００５】
上記課題を解決するための請求項１の発明は、媒体の表面に予め設定された複数の領域の各々について、当該領域が利用者によって指定されたときの状況を特定する指定状況特定手段と、複数の撮像画像の各々について、当該撮像画像が撮像手段によって撮像されたときの状況を特定する撮像状況特定手段と、「前記指定状況特定手段により特定される、前記複数の領域のうちのいずれかである注目領域が指定されたときの状況、及び前記撮像状況特定手段により特定される、前記複数の撮像画像の各々が撮像されたときの状況」、又は、「前記指定状況特定手段により特定される、前記注目領域の次に指定された領域である基準領域が指定されたときの状況、及び前記撮像状況特定手段により特定される、前記複数の撮像画像の各々が撮像されたときの状況」、に基づいて、前記複数の撮像画像のうちのいずれかを選択する画像選択手段と、前記画像選択手段により選択された撮像画像と、前記注目領域と、を関連づける関連づけ手段と、を含むことを特徴とする情報処理装置である。
【０００６】
また、請求項２の発明は、請求項１の発明において、前記指定状況特定手段は、前記複数の領域の各々について、当該領域が利用者によって指定された指定タイミングを特定し、前記撮像状況特定手段は、前記複数の撮像画像の各々について、当該撮像画像が撮像された撮像タイミングを特定し、前記画像選択手段は、前記注目領域の指定タイミング、及び前記複数の撮像画像の各々の撮像タイミングに基づいて、前記複数の撮像画像のうちの撮像タイミングが前記注目領域の指定タイミングより前の撮像画像のうちから、撮像タイミングが前記注目領域の指定タイミングに最も近い撮像画像を選択することを特徴とする。
【０００７】
また、請求項３の発明は、請求項１の発明において、前記指定状況特定手段は、前記複数の領域の各々について、当該領域が利用者によって指定された指定タイミングを特定し、前記撮像状況特定手段は、前記複数の撮像画像の各々について、当該撮像画像が撮像された撮像タイミングを特定し、前記画像選択手段は、前記基準領域の指定タイミング、及び前記複数の撮像画像の各々の撮像タイミングに基づいて、前記複数の撮像画像のうちの撮像タイミングが前記基準領域の指定タイミングより前の撮像画像のうちから、撮像タイミングが前記基準領域の指定タイミングに最も近い撮像画像を選択することを特徴とする。
【０００８】
また、請求項４の発明は、請求項１乃至３のいずれかの発明において、前記領域は、現タイミングを計測する第１時計手段を備えた操作部材を用いて指定され、前記撮像手段は、現タイミングを計測する第２時計手段を備え、前記情報処理装置は、前記複数の領域の各々について、当該領域が利用者によって指定されたときの前記第１時計手段の計測結果を取得する第１取得手段と、前記複数の撮像画像の各々について、該撮像画像が前記撮像手段によって撮像されたときの前記第２時計手段の計測結果を取得する第２取得手段と、をさらに含み、前記指定状況特定手段は、前記第１取得手段により取得された計測結果に基づいて、前記複数の領域の各々について、当該領域が利用者によって指定された指定タイミングを特定し、前記撮像状況特定手段は、前記第２取得手段により取得された計測結果に基づいて、前記複数の撮像画像の各々について、当該撮像画像が撮像された撮像タイミングを特定することを特徴とする。
【０００９】
また、請求項５の発明は、請求項４の発明において、前記第１時計手段と前記第２時計手段とで現タイミングの計測結果は異なり、前記情報処理装置は、前記第１時計手段による現タイミングの計測結果と、前記第２時計手段による現タイミングの計測結果と、のずれを示すずれ情報を生成するずれ情報生成手段と、前記第１取得手段により取得された計測結果を前記ずれ情報に基づいて補正する補正手段と、をさらに含み、前記指定状況特定手段は、前記補正手段によって補正された計測結果に基づいて、前記複数の領域の各々の指定タイミングを特定することを特徴とする。
【００１０】
また、請求項６の発明は、請求項４の発明において、前記第１時計手段と前記第２時計手段とで現タイミングの計測結果は異なり、前記情報処理装置は、前記第１時計手段による現タイミングの計測結果と、前記第２時計手段による現タイミングの計測結果と、のずれを示すずれ情報を生成するずれ情報生成手段と、前記第２取得手段により取得された計測結果を前記ずれ情報に基づいて補正する補正手段と、をさらに含み、前記撮像状況特定手段は、前記補正手段によって補正された計測結果に基づいて、前記複数の撮像画像の各々の撮像タイミングを特定することを特徴とする。
【００１１】
上記課題を解決するための請求項７の発明は、媒体の表面に予め設定された複数の領域の各々について、当該領域が利用者によって指定されたときの状況を特定する指定状況特定手段、複数の撮像画像の各々について、当該撮像画像が撮像手段によって撮像されたときの状況を特定する撮像状況特定手段、「前記指定状況特定手段により特定される、前記複数の領域のうちのいずれかである注目領域が指定されたときの状況、及び前記撮像状況特定手段により特定される、前記複数の撮像画像の各々が撮像されたときの状況」、又は、「前記指定状況特定手段により特定される、前記注目領域の次に指定された領域である基準領域が指定されたときの状況、及び前記撮像状況特定手段により特定される、前記複数の撮像画像の各々が撮像されたときの状況」、に基づいて、前記複数の撮像画像のうちのいずれかを選択する画像選択手段、前記画像選択手段により選択された撮像画像と、前記注目領域と、を関連づける関連づけ手段、としてコンピュータを機能させるプログラムである。
【発明の効果】
【００１２】
請求項１及び７の発明によれば、利用者によって撮像された複数の画像のうちから、利用者が文書内の領域に挿入することを意図して撮像した画像を関連付けできる。
【００１３】
請求項２及び３の発明によれば、本構成を有しない場合に比して、より確実に、利用者が文書内の領域に挿入することを意図して撮像した画像を関連付けできる。
【００１４】
請求項４の発明によれば、文書内の領域を指定するための操作部材に備えられる時計手段が計測したタイミングと、撮像手段に備えられる時計手段が計測したタイミングと、に基づいて、利用者が文書内の領域に挿入することを意図して撮像した画像を関連付けできる。
【００１５】
請求項５及び６の発明によれば、操作部材に備えられる時計手段と、撮像手段に備えられる時計手段と、が同期されていなくても、利用者が文書内の領域に挿入することを意図して撮像した画像を関連付けできる。
【図面の簡単な説明】
【００１６】
【図１】本発明の実施形態に係る情報処理装置の構成の一例を示す図である。
【図２】情報処理装置で生成される文書の一例を示す図である。
【図３】用紙の一例を示す図である。
【図４Ａ】電子ペンの外観の一例を示す図である。
【図４Ｂ】電子ペンの構成を示す図である。
【図５】デジタルカメラの構成を示す図である。
【図６】ユーザが屋外で行う作業の基本フローを示す図である。
【図７】写真テーブルの一例を示す図である。
【図８】指定テーブルの一例を示す図である。
【図９】情報処理装置にて実行される処理の一例を示すフロー図である。
【図１０】写真テーブルの一例を示す図である。
【図１１】情報処理装置にて実行される処理の一例を示すフロー図である。
【図１２】情報処理装置にて実行される処理の一例を示すフロー図である。
【図１３】情報処理装置にて実現される機能群を示す機能ブロック図である。
【発明を実施するための形態】
【００１７】
以下、本発明の実施形態の例について図面に基づき詳細に説明する。
【００１８】
［情報処理装置］
図１は、本発明の実施形態に係る情報処理装置２の構成の一例を示す図である。情報処理装置２は、例えば、パーソナルコンピュータであり、制御部４と、主記憶６と、ハードディスク８と、操作入力部１０と、入出力インタフェース１２（以下、「ＩＯインタフェース１２」と記載する）と、を含む。情報処理装置２は、オフィス内に設置される。
【００１９】
制御部４は、例えばマイクロプロセッサである。制御部４は、主記憶６に記憶されるプログラムに従って情報処理を実行する。
【００２０】
主記憶６は、例えばＲＡＭである。主記憶６には上記プログラムが格納される。このプログラムは、フレキシブルディスク、ＣＤ−ＲＯＭ、ＤＶＤ（登録商標）−ＲＯＭ、磁気テープ、ハードディスク、ＭＯ、ＭＤ、ＩＣカード等のコンピュータ読取可能な情報記憶媒体から読み出されて主記憶６に格納されてもよいし、インターネットなどの通信ネットワーク等の通信網から供給されて主記憶６に格納されてもよい。
【００２１】
また、主記憶６には情報処理の過程で必要となる各種データも格納される。
【００２２】
ハードディスク８は、各種情報を記憶するための記憶媒体である。ハードディスク８に格納される情報については後述する。
【００２３】
操作入力部１０は、例えば、キーボードやマウス等である。操作入力部１０は、ユーザの操作内容を示す情報を制御部４に出力する。
【００２４】
ＩＯインタフェース１２は、例えば、ＵＳＢ（Universal Serial Bus）インタフェースである。ＩＯインタフェース１２は、情報処理装置２と外部機器とを接続するために用いられる。ＩＯインタフェース１２を介して、制御部４から出力された情報が外部機器に供給される。また、ＩＯインタフェース１２を介して、外部機器から出力された情報が制御部４へと供給される。
【００２５】
なお、情報処理装置２は、これらの他にも、ディスプレイなどを含む。
【００２６】
［情報処理装置で生成される文書］
この情報処理装置２では文書が生成される。図２は、情報処理装置２で生成される文書の一例を示す図である。同図に示すように、この文書は、画像が配置される画像領域１（領域）を複数含む。図２の場合、文書には、画像領域１ａと、画像領域１ｂと、の２つの画像領域１が含まれる。また、この文書は、説明領域３を複数含む。図２の場合、文書には、説明領域３ａと、説明領域３ｂと、の２つの説明領域３が含まれる。説明領域３には、テキストが配置される。図２の場合、説明領域３ａには、画像領域１ａに配置される画像の内容を説明するテキストが配置され、説明領域３ｂには、画像領域１ｂに配置される画像の内容を説明するテキストが配置される。
【００２７】
ハードディスク８には、この文書を生成するための基礎となる雛形が予め格納される。雛型には、複数の画像領域１と、複数の説明領域３と、が設定されている。雛形の各画像領域１に画像が配置され、且つ、雛形の各説明領域にテキストが入力されることによって、文書が生成される。
【００２８】
［ユーザが行う作業］
上記文書を作成するためにユーザが行うべき作業について説明する。ユーザは、まず、用紙（媒体）と、電子ペン（操作部材）と、デジタルカメラ（撮像手段）と、を持って屋外に出る。
【００２９】
［用紙］
図３は、用紙の一例を示す図である。用紙の表面には、コード情報（不図示）が埋め込まれている。例えば、用紙の表面のある位置には、その位置の座標値を示すコード情報が埋め込まれている。用紙には、各画像領域１の枠が点線などで記載されていてもよい。
【００３０】
［電子ペン］
図４Ａは、電子ペンの外観の一例を示す図である。また、図４Ｂは、電子ペンの構成を示す図である。図４Ｂに示すように、電子ペンは、制御部２０、記憶部２２，カメラ２４，時計部２６（第１の時計手段）、及び入出力インタフェース２８（以下、「ＩＯインタフェース２８」と記載する）を含む。図４Ａに示すように、カメラ２４は、電子ペンの先端に備えられる。なお、電子ペンは、これらの他にも、ＧＰＳ（Global Positioning System）受信機なども含む。
【００３１】
制御部２０は、記憶部２２に記憶されるプログラムに従って各種情報処理を実行する。カメラ２４は、撮像した画像を示す情報を制御部２０に出力する。時計部２６は、時計であり、現在時刻（現タイミング）を計測し、計測結果である現在時刻を制御部２０に出力する。ＩＯインタフェース２８は、電子ペンと外部機器とを接続するためのインタフェースであり、例えば、ＵＳＢインタフェースである。
【００３２】
［デジタルカメラ］
図５は、デジタルカメラの構成の一例を示す図である。同図に示すように、デジタルカメラは、制御部３０、記憶部３２、撮像部３４、時計部３６（第２の時計手段）、及び入出力インタフェース３８（以下、「ＩＯインタフェース３８」と記載する）を含む。デジタルカメラは、これらの他にも、ＧＰＳ（Global Positioning System）受信機なども含む。
【００３３】
制御部３０は、記憶部３２に記憶されるプログラムに従って各種情報処理を実行する。撮像部３４は、撮像した画像を示す画像信号を制御部３０に出力する。時計部３６は、時計であり、現在時刻（現タイミング）を計測し、計測結果である現在時刻を制御部３０に出力する。ＩＯインタフェース３８は、電子ペンと外部機器とを接続するためのインタフェースであり、例えば、ＵＳＢインタフェースである。
【００３４】
なお、以下では、デジタルカメラの時計部３６により計測される現在時刻と、電子ペンの時計部２６により計測される現在時刻と、が異なっているものとする。例えば、デジタルカメラの時計部３６により計測される現在時刻が、電子ペンの時計部２６により計測される現在時刻より進んでいるものとする。
【００３５】
［ユーザが屋外で行う作業フロー］
図６は、ユーザが屋外で行う作業の基本フローを示す図である。
【００３６】
ユーザは、気に入った写真が撮れるまで、デジタルカメラで写真を撮り続ける（Ｓ１０１）。デジタルカメラの制御部３０は、ユーザが写真を撮る度に、撮像部３４から供給される画像信号に基づいて写真画像（撮像画像）を生成し、生成した写真画像を、時計部３６により計測される現在時刻と、関連づけて写真テーブルに格納する。図７は、写真テーブルの一例を示す図である。写真テーブルは、記憶部３２に格納される。写真画像フィールドには、写真画像が格納される。また、撮像時刻フィールドには、写真画像フィールドに格納される写真画像が撮像されたときに時計部３６により計測された時刻が、撮像時刻Ｔとして、格納される。
【００３７】
気に入った写真が撮れたら、ユーザは、用紙表面を電子ペンで押下することによって、当該写真を載せるべき画像領域１を指定する（Ｓ１０２）。例えば、ユーザは、ある画像領域Ｘを指定する場合、画像領域Ｘの枠内の位置を電子ペンで押下する。電子ペンの制御部２０は、カメラ２４から供給されるコード情報の映像に従って、ユーザが電子ペンで押下した押下位置を示す座標を割り出し、当該座標を、時計部２６により計測される現在時刻と、関連づけて指定テーブルに格納する。
【００３８】
図８は、指定テーブルの一例を示す図である。指定テーブルは、記憶部２２に格納される。押下位置フィールドには、ユーザが画像領域１を指定するために押下した押下位置を示す座標が格納される。押下位置フィールドに格納される座標によって、ユーザが指定した画像領域が特定される。より詳しくは、押下位置フィールドに格納される座標によって、当該座標により示される押下位置を含む画像領域が特定される。一方、指定時刻フィールドには、指定位置フィールドに格納される座標により示される押下位置が押下されたときに時計部２６により計測された時刻が、指定時刻ｔとして、格納される。
【００３９】
そして、ユーザは、次の画像領域１に載せるべき写真を撮るために、再度、Ｓ１０１のステップの作業を実行する。こうして、ユーザは、屋外で、各画像領域１に載せるべき写真を撮影する。
【００４０】
［ユーザがオフィスに戻って行う作業］
各画像領域１に載せるべき写真を撮影し終えたら、ユーザはオフィスに戻る。オフィスに戻ったら、ユーザは、電子ペンと、デジタルカメラと、を情報処理装置２に接続し、データ移行操作を行う。
【００４１】
図９は、データ移行操作が行われた場合に、情報処理装置２にて実行される処理の一例を示すフロー図である。この処理は、制御部４が主記憶６に格納される上記プログラムに従って動作することによって実行される。
【００４２】
まず、制御部４（第１取得手段）は、電子ペンから指定テーブルを取得し（Ｓ２０１）、ハードディスク８に格納する。また、制御部４（第２取得手段）は、デジタルカメラから写真テーブルを取得し（Ｓ２０２）、ハードディスク８に格納する。
【００４３】
また、制御部４（ずれ情報生成手段）は、電子ペンから、電子ペンの時計部２６により計測された現在時刻を取得する。また、制御部４は、デジタルカメラから、デジタルカメラの時計部３６により計測された現在時刻を取得する。そして、デジタルカメラの時計部３６により計測された現在時刻から電子ペンの時計部２６により計測された現在時刻を引いた時刻差Δ（ずれ情報）を算出する（Ｓ２０３）。
【００４４】
そして、制御部４（補正手段）は、時刻差Δに基づいて、主記憶６に格納される写真テーブルに格納される各撮像時刻Ｔを補正する（Ｓ２０４）。具体的には、各撮像時刻にΔを加算する。図１０に、Ｓ２０４のステップの後における、指定テーブルの内容を示す。
【００４５】
なお、制御部４（補正手段）は、写真テーブルに格納される各撮像時刻Ｔを補正する代わりに、指定テーブルに格納される各指定時刻ｔを補正してもよい。この場合、各指定時刻からΔが減算されることになる。
【００４６】
データ移行操作を行ったら、ユーザは、雛型をディスプレイに表示させる。そして、上記文書を作成するために写真挿入指示操作を行うことになる。
【００４７】
図１１は、写真挿入指示操作が行われた場合に、情報処理装置２で実行される処理の一例を示すフロー図である。この処理は、制御部４が主記憶６に格納される上記プログラムに従って動作することによって実行される。
【００４８】
まず、制御部４（指定状況特定手段）は、主記憶６から指定テーブルを読み出す（Ｓ３０１）。指定テーブルが読み出されることによって、各画像領域１の指定時刻ｔが特定される。また、制御部４（撮像状況特定手段）は、主記憶６から写真テーブルを読み出す（Ｓ３０２）。写真テーブルが読み出されることによって、各写真画像の撮像時刻Ｔが特定される。
【００４９】
そして、制御部４（選択手段、関連づけ手段）は、図１２に示す処理を画像領域１ごとに実行することにより、各画像領域１に写真画像を配置する（Ｓ３０３）。
【００５０】
ここで、図１２に示す処理について説明する。なお、以下、処理対象となっている画像領域のことを注目領域と呼ぶ。
【００５１】
まず、制御部４（選択手段）は、注目領域の指定時刻ｔと、各写真画像の撮像時刻Ｔと、を比較する（Ｓ４０１）。そして、制御部４（選択手段）は、比較結果に基づいて、撮像時刻Ｔが注目領域の指定時刻ｔより前の時刻である写真画像のうち、撮像時刻Ｔが注目領域の指定時刻ｔに最も近い写真画像である配置対象写真画像を特定する（Ｓ４０２）。
【００５２】
そして、制御部４（関連づけ手段）は、注目領域と配置対象写真画像を関連づける。すなわち、制御部４は、注目領域に配置対象写真画像を配置する（Ｓ４０３）。
【００５３】
図１１に示す処理が実行されることにより、各画像領域１に写真画像が配置される。特に、Ｓ４０２のステップにより、画像領域１には、その画像領域１に載せることを意図してユーザが撮った写真画像が配置される。
【００５４】
こうして各画像領域１に写真画像が配置された後、ユーザは、各説明領域３にテキストを入力する。例えば、説明領域３ａ（図２参照）には、画像領域１ａに配置された写真画像を説明するためのテキストを入力する。ユーザが、各説明領域３にテキストを入力することによって、図２に示すような文書の生成が完了する。
【００５５】
[機能ブロック]
図１３は、情報処理装置２にて実現される機能群を示す機能ブロック図である。同図に示すように、情報処理装置２では、第１取得部４０、第２取得部４２、補正部４４、指定状況特定部４６、撮像状況特定部４８、画像選択部５０、及び関連づけ部５２が実現される。補正部４４、指定状況特定部４６、撮像状況特定部４８、画像選択部５０、及び関連づけ部５２は、制御部４を主として実現され、第１取得部４０、及び第２取得部４２は、制御部４とハードディスク８とを主として実現される。
【００５６】
［指定状況特定部］
指定状況特定部４６は、複数の画像領域１の各々について、当該画像領域１がユーザによって指定されたときの状況を特定する。
【００５７】
［撮像状況特定部］
また、撮像状況特定部４８は、複数の写真画像の各々について、当該写真画像がデジタルカメラ（撮像手段）によって撮像されたときの状況を特定する。
【００５８】
［画像選択部、関連づけ部］
そして、画像選択部５０は、指定状況特定部４６により特定される、複数の画像領域１のうちのいずれかである注目領域が指定されたときの状況、及び撮像状況特定部４８により特定される、複数の写真画像の各々が撮像されたときの状況、に基づいて、複数の写真画像のうちから配置対象写真画像を選択し、関連づけ部５２が、注目領域と配置対象写真画像とを関連づける。すなわち、注目領域に配置対象写真画像を配置する。
【００５９】
本実施形態の場合、指定状況特定部４６は、複数の画像領域１の各々について、当該画像領域１がユーザによって指定された指定タイミングである指定時刻ｔを特定する。
【００６０】
すなわち、まず、第１取得部４０が、複数の画像領域１の各々について、当該画像領域１がユーザによって指定されたときに電子ペン（操作部材）の時計部２６（第１時計手段）により計測された時刻（計測結果）を取得する。具体的には、第１取得部４０が、電子ペンから図８に示す指定テーブルを取得する（図９のＳ２０１参照）。
【００６１】
そして、指定状況特定部４６は、第１取得部４０が各画像領域１について取得した時刻に基づいて、各画像領域１の指定時刻ｔを特定する。具体的には、指定状況特定部４６は、ハードディスク８に格納される指定テーブルを読み出すことによって、各画像領域１の指定時刻ｔを特定する（図１１のＳ３０１参照）。
【００６２】
また、本実施形態の場合、撮像状況特定部４８は、複数の写真画像の各々について、当該写真画像が撮像手段によって撮像された撮像タイミングである撮像時刻Ｔを特定する。
【００６３】
すなわち、まず、第２取得部４２が、複数の写真画像の各々について、当該写真画像がデジタルカメラによって撮像されたときにデジタルカメラの時計部３６（第２時計手段）により計測された時刻（計測結果）を取得する。具体的には、第２取得部４２が、デジタルカメラから図７に示す写真テーブルを取得する（図９のＳ２０２参照）。
【００６４】
そして、撮像状況特定部４８は、第２取得部４２が各写真画像について取得した時刻に基づいて、各写真画像の撮像時刻Ｔを特定する。
【００６５】
より詳しくは、補正部４４が、電子ペンの時計部２６により計測される現在時刻と、デジタルカメラの時計部３６により計測される現在時刻と、のずれである上記時刻差Δを生成し（図９のＳ２０３参照）、第２取得部４２によって取得された時刻を時刻差Δに基づいて補正する。具体的には、補正部４４が、ハードディスク８に格納される撮像テーブルに格納される撮像時刻Ｔを時刻差Δに基づいて補正する（図９のＳ２０４参照）。
【００６６】
そして、撮像状況特定部４８が、補正部４４によって補正された時刻に基づいて、各写真画像の撮像時刻Ｔを特定する。具体的には、撮像状況特定部４８は、ハードディスク８に格納される写真テーブルを読み出すことによって、各写真画像の撮像時刻Ｔを特定する（図１１のＳ３０２参照）。
【００６７】
また、本実施形態の場合、画像選択部５０は、注目領域の指定時刻ｔ、及び各写真画像の撮像時刻Ｔに基づいて、複数の写真画像のうちの撮像時刻Ｔが注目領域の指定時刻ｔより前の写真画像のうちから、撮像時刻Ｔが注目領域の指定時刻ｔに最も近い写真画像を配置対象写真画像として選択する（図１２参照）。
【００６８】
なお、本発明の実施形態は上記実施形態だけに限らない。
【００６９】
例えば、補正部４４は、第２取得部４２によって取得された時刻を補正するのではなく、第１取得部４０によって取得された時刻を上記時刻差Δに基づいて補正してもよい。
【００７０】
また、例えば、ユーザは、常に、気に入った写真が撮れた後にその写真を載せる画像領域１を指定するとは限らない。例えば、ユーザによっては、まず画像領域１を指定した後に、当該画像領域１に載せるのに適当な写真がとれるまで写真を撮り続ける場合がある。すなわち、ユーザによっては、まずＳ１０２の作業（図６参照）を行ってからＳ１０１の作業を行う場合がある。
【００７１】
そこで、画像選択部５０は、「注目領域の指定時刻ｔ、及び各写真画像の撮像時刻Ｔに基づいて、複数の写真画像のうちの撮像時刻Ｔが注目領域の指定時刻ｔより前の写真画像のうちから、撮像時刻Ｔが注目領域の指定時刻ｔに最も近い写真画像を配置対象写真画像として選択する」代わりに、注目領域の次に指定された画像領域１である基準領域の指定時刻ｔ、及び各写真画像の撮像時刻Ｔに基づいて、複数の写真画像のうちの撮像時刻Ｔが基準領域の指定時刻ｔより前の写真画像のうちから、撮像時刻Ｔが基準領域の指定時刻ｔに最も近い写真画像を配置対象写真画像として選択してもよい。
【００７２】
この場合、制御部４は、図１２のＳ４０１のステップにおいて、基準領域の指定時刻ｔと、各写真画像の撮像時刻Ｔと、を比較する。そして、Ｓ４０２のステップにおいて、制御部４は、比較結果に基づいて、配置対象写真画像を特定することになる。
【００７３】
また、例えば、「画像領域１がユーザによって指定されたときの状況」は、「画像領域１がユーザによって指定された指定時刻ｔ」だけに限らない。また、「写真画像がデジタルカメラによって撮像されたときの状況」は、「写真画像がデジタルカメラによって撮像された撮像時刻Ｔ」だけに限らない。例えば、「画像領域１がユーザによって指定されたときの状況」が「画像領域１がユーザによって指定されたときに電子ペンのＧＰＳ受信機が受信したＧＰＳ情報」であり、且つ、「写真画像がデジタルカメラによって撮像されたときの状況」が「写真画像がデジタルカメラによって撮像されたときにデジタルカメラのＧＰＳ受信機が受信したＧＰＳ情報」であってもよい。
【００７４】
この場合、電子ペンの制御部２０は、座標に関連づけて、ＧＰＳ情報を指定テーブルに記憶させる。また、デジタルカメラの制御部３０は、写真画像に関連づけて、ＧＰＳ情報を写真テーブルに記憶させる。また、データ移行操作が行われた場合、情報処理装置２の制御部４は、図９に示すＳ２０１とＳ２０２のみを実行する。また、情報処理装置２の制御部４は、図１２に示すＳ４０１のステップにおいて、注目領域内の位置を示す座標に関連づけられたＧＰＳ情報（以下、注目ＧＰＳ情報）と、各写真画像に関連づけられたＧＰＳ情報と、を比較し、Ｓ４０２のステップにおいて、例えば、注目ＧＰＳ情報が示す地球上の位置からの距離が最も近い位置を示すＧＰＳ情報に関連づけられた写真画像を、配置対象写真画像として特定する。
【符号の説明】
【００７５】
１ａ，１ｂ  画像領域、２  情報処理装置、３ａ，３ｂ  説明領域、４，２０，３０  制御部、６  主記憶、８  ハードディスク、１０  操作入力部、１２，２８，３８  ＩＯインタフェース、２２，３２  記憶部、２４  カメラ、２６，３６  時計部、３４  撮像部、４０  第１取得部、４２  第２取得部、４４  補正部、４６  指定状況特定部、４８  撮像状況特定部、５０  画像選択部、５２  関連づけ部。
【図１】
2012018461.tif 000003
【図２】
2012018461.tif 000004
【図３】
2012018461.tif 000005
【図４Ａ】
2012018461.tif 000006
【図４Ｂ】
2012018461.tif 000007
【図５】
2012018461.tif 000008
【図６】
2012018461.tif 000009
【図７】
2012018461.tif 000010
【図８】
2012018461.tif 000011
【図９】
2012018461.tif 000012
【図１０】
2012018461.tif 000013
【図１１】
2012018461.tif 000014
【図１２】
2012018461.tif 000015
【図１３】
2012018461.tif 000016